(57)【要約】【課題】ハウジングからのカードの無理な引抜きの防止の確実性を向上させること。【解決手段】カード１の排出機構２０は、ハウジング１１内をカード１の挿入方向および排出方向に移動可能でカード１の挿入方向の前端部に前方から当接可能なスライダ２１と、このスライダ２１をカード排出位置の方向に付勢するコイルスプリング２２と、このコイルスプリング２２に抗してスライダ２１をカード装着位置にロックすること、および、このロックを解除することが可能なハート型カム機構２３とを有する。スライダ２１には、カード１の一方の側部に形成された凹部１ｅに挿入可能で、剛性を有する凸部２１ｃが形成されている。ハウジング１１の内壁面には、カード装着位置に位置したスライダ２１との間でカード１を挟んで位置し、凸部２１ｃが凹部１ｅから抜ける方向へのカード１の移動を阻止する抜け止め部１２ｃ１が設けられている。【選択図】図５−２
2009272082.tif 000002
【特許請求の範囲】
【請求項１】
カードが挿入されるハウジングと、このハウジング内で前記カードを排出方向に押し動かすことが可能な排出機構とを有し、
前記排出機構は、前記ハウジング内を前記カードの挿入方向および排出方向に移動可能で、かつ前記カードの挿入方向の前端部に前方から当接可能なスライダと、このスライダを所定のカード排出位置の方向に付勢する付勢手段と、この付勢手段の付勢力に抗して前記スライダを所定のカード装着位置にロックすること、および、このロックを解除することが可能なロック手段とを有するカード用コネクタであって、
前記スライダには、前記カードの側部に形成された凹部に挿入可能で剛性を有する凸部が形成されていて、
前記ハウジングには、前記カード装着位置に位置した前記スライダとの間で前記カードを挟んで位置し、前記凸部が前記凹部から抜ける方向への前記カードの移動を阻止する抜け止め部が設けられている
ことを特徴とするカード用コネクタ。
【請求項２】
請求項１に記載の発明において、
前記ハウジングには、前記抜け止め部に前記カードを案内する案内部が設けられた
ことを特徴とするカード用コネクタ。
【請求項３】
請求項１に記載の発明において、
前記抜け止め部は前記ハウジングの内壁面である
ことを特徴とするカード用コネクタ。
【請求項４】
請求項２に記載の発明において、
前記案内部は前記ハウジングの内壁面である
ことを特徴とするカード用コネクタ。
【請求項５】
請求項１〜４のいずれか１項に記載の発明において、
前記ハウジングには、このハウジングに挿入された前記カードを前記スライダの方向に弾性的に押圧可能な押圧部が設けられている
ことを特徴とするカード用コネクタ。
【請求項６】
請求項５に記載の発明において、
前記ハウジングは金属製のカバー部材を有し、
前記押圧部は前記カバー部材の一部を折り曲げ加工して形成されている
ことを特徴とするカード用コネクタ。
【請求項７】
請求項５または６に記載の発明において、
前記抜け止め部および前記押圧部と、前記スライダとは、前記カードの幅方向において前記カードを挟んで対向して位置する位置関係にある
ことを特徴とするカード用コネクタ。
【発明の詳細な説明】
【技術分野】
【０００１】
本発明は、ハウジング内をカードの挿入方向および排出方向にスライド可能に設けられたスライダを含み、このスライダによりカードを排出方向に押し動かす排出機構を備えたカード用コネクタであって、カードが装着された状態において、スライダに対するカードの排出方向の移動を阻止するカード用コネクタに関する。
【背景技術】
【０００２】
従来のカード用コネクタは、カードが挿入されるハウジングと、このハウジング内でカードを排出方向に押し動かすことが可能な排出機構とを有する。排出機構は、ハウジング内をカードの挿入方向および排出方向に移動可能で、かつカードの挿入方向の前端部に前方から当接可能なスライダと、このスライダを所定のカード排出位置の方向に付勢する付勢手段と、スライダの所定のカード装着位置へのロック、および、このロックの解除が可能なロック手段とを有する。付勢手段はコイルスプリングであり、ハウジングとスライダとの間に設けられている。ロック手段はハート型カム機構であり、これによってスライダをロックさせるための操作と、そのロックを解除するための操作との両方がスライダの挿入方向へのプッシュ操作であるプッシュプッシュ操作式の排出機構が構成されている。
【０００３】
カードの一方の側部には凹部が形成されている。スライダはカードのその一方の側部に対向するように配置されている。このスライダには、カードの一方の側部の凹部に挿入可能な屈曲部を有する片持ち板バネが設けられている。この片持ち板バネは、ハウジングにカードが挿入された初期段階において、そのカードの一方の側部に屈曲部を押し退けられて撓み、この状態のままカードの挿入が進行してカードがスライダに対する所定位置に達したときに、カードの一方の側部の凹部に屈曲部を挿入することで復元する。つまり、カードの凹部が屈曲部に引っ掛かることによって、カードの排出方向の移動が抑制される状態となる。
【０００４】
ハウジングの内壁面は、スライダがカード装着位置に位置しているときに、屈曲部がカードの凹部から抜ける方向への片持ち板バネの撓みを阻止するよう形成されている。ハウジングにカードが挿入されてスライダがカード装着位置に達すると、凹部から屈曲部が抜けなくなった状態で、ロック手段（ハート型カム機構）によりスライダがカード装着位置にロックされる。これにより、ハウジングにカードが装着された状態でのカードの排出方向の移動が阻止された状態となる。
【０００５】
この種の従来のカード用コネクタについては特許文献１を参照されたい。
【特許文献１】特開２００６−２９４６３６号公報
【発明の開示】
【発明が解決しようとする課題】
【０００６】
前述した従来のカード用コネクタでは、ハウジングにカードが装着された状態においてカードの排出方向への移動を阻止するために、カードの凹部に片持ち板バネの屈曲部が挿入された状態で、かつ、屈曲部がカードの凹部から抜ける方向への片持ち板バネの撓みが阻止された状態が形成される。このような状態が形成されても、屈曲部は片持ち板バネを折り曲げ加工して形成されたものであるため、ユーザーが過誤により排出機構を操作せずにカードを無理に引き抜こうとした場合に、屈曲部がカードの凹部から受けた排出方向の力により変形して潰れ、カードの誤った引抜きを許してしまうおそれがある。
【０００７】
本発明は前述の事情を考慮してなされたものであり、その目的は、ハウジングからのカードの無理な引抜きの防止の確実性を向上させることができるカード用コネクタを提供することにある。
【課題を解決するための手段】
【０００８】
前述の目的を達成するために本発明のカード用コネクタは次のように構成されている。
【０００９】
〔１〕  本発明は、カードが挿入されるハウジングと、このハウジング内で前記カードを排出方向に押し動かすことが可能な排出機構とを有し、前記排出機構は、前記ハウジング内を前記カードの挿入方向および排出方向に移動可能で、かつ前記カードの挿入方向の前端部に前方から当接可能なスライダと、このスライダを所定のカード排出位置の方向に付勢する付勢手段と、この付勢手段の付勢力に抗して前記スライダを所定のカード装着位置にロックすること、および、このロックを解除することが可能なロック手段とを有するカード用コネクタであって、前記スライダには、前記カードの側部に形成された凹部に挿入可能で剛性を有する凸部が形成されていて、前記ハウジングには、前記カード装着位置に位置した前記スライダとの間で前記カードを挟んで位置し、前記凸部が前記凹部から抜ける方向への前記カードの移動を阻止する抜け止め部が設けられたことを特徴とする。
【００１０】
「〔１〕」に記載された本発明では、ハウジングにカードが挿入されると、カードの前端部は、カード排出位置に位置したスライダに当接する。そして、スライダはカードの前端部に押圧されてカードと一体的に挿入方向に移動し、その後、カード装着位置でロック手段によりロックされる。スライダがカード装着位置に位置した状態では、スライダの凸部がカードの凹部に挿入されているとともに、凸部が凹部から抜ける方向へのカードの移動が抜け止め部によって阻止されている。これにより、ハウジングにカードが装着された状態でのカードの排出方向の移動が阻止された状態となる。
【００１１】
スライダの凸部は剛性を有する。したがって、前述のようにしてハウジングにカードが装着された状態において、ユーザーがカードを無理に引き抜こうとしてカードの凹部からスライダの凸部に排出方向の力が作用しても、凸部は変形しづらいものとなっている。これにより、ハウジングからのカードの無理な引抜きの防止の確実性を向上させることができる。
【００１２】
〔２〕  本発明は、「〔１〕」に記載の発明において、前記ハウジングには、前記抜け止め部に前記カードを案内する案内部が設けられたことを特徴とする。
【００１３】
「〔２〕」に記載された本発明によれば、スライダの凸部がカードの凹部に挿入された状態を維持しつつ、スライダと抜け止め部との間にカードを円滑に挿入することができる。
【００１４】
〔３〕  本発明は「〔１〕」に記載の発明において、前記抜け止め部は前記ハウジングの内壁面であることを特徴とする。
【００１５】
「〔３〕」に記載された本発明によれば、抜け止め部をハウジングの成形と同工程で容易に設けることができる。
【００１６】
〔４〕  本発明は「〔２〕」に記載の発明において、前記案内部は前記ハウジングの内壁面であることを特徴とする。
【００１７】
「〔４〕」に記載された本発明によれば、案内部をハウジングの成形と同工程で容易に設けることができる。
【００１８】
〔５〕  本発明は「〔１〕」〜「〔４〕」のいずれか１に記載の発明において、前記ハウジングには、このハウジングに挿入された前記カードを前記スライダの方向に弾性的に押圧する押圧部が設けられていることを特徴とする。
【００１９】
「〔５〕」に記載された本発明によれば、押圧部がカードを押圧してスライダに押し付けるので、スライダがカード排出位置に位置した状態等、カードがハウジングに完全に装着されていない状態であっても、ハウジングに対するカードの排出方向の移動を抑制することができる。
【００２０】
〔６〕  本発明は、「〔５〕」に記載の発明において、前記ハウジングは金属製のカバー部材を有し、前記押圧部は前記カバー部材の一部を折り曲げ加工して形成されていることを特徴とする。
【００２１】
「〔６〕」に記載された本発明によれば、磁気シールドとして機能するカバー部材と押圧部とを同工程で容易に設けることができる。
【００２２】
〔７〕  本発明は「〔５〕」または「〔６〕」に記載の発明において、前記抜け止め部および前記押圧部と、前記スライダとは、前記カードの幅方向において前記カードを挟んで対向して位置する位置関係にあることを特徴とする。
【００２３】
「〔７〕」に記載された本発明によれば、挿入時および排出時におけるカードの軌道を直線状に安定させることができる。
【発明の効果】
【００２４】
本発明によれば、前述のように、ハウジングからのカードの無理な引抜きの防止の確実性を向上させることができる。
【発明を実施するための最良の形態】
【００２５】
本発明の一実施形態に係るカード用コネクタについて図を用いて説明する。
【００２６】
図１−１は本発明の一実施形態に係るカード用コネクタに挿入されるカードの上面図である。図１−２は図１−１に示したカードの下面図である。図１−３は図１−１に示したカードの左側面図である。
【００２７】
カード１の外郭は合成樹脂により形成されていて剛性を有する。カード１の上面視形状はほぼ矩形である。図１−１の上側が、後述のカード用コネクタに対するカード１の挿入方向の前側である。カード１の前端部１ａの左側には面取りされて傾斜部１ｄが形成されている。図１−２，図１−３に示すように、カード１の左側部１ｂ（図１−２の右側）における傾斜部１ｄよりも後方には、右方向に凹んだ凹部１ｅが形成されている。図１−２に示すように、カード１の下面の前部には、複数の端子２が露出して設けられている。
【００２８】
図２−１は本発明の一実施形態に係るカード用コネクタの斜視図である。図２−２は図２−１に示したカード用コネクタからカバー部材を取り除いた状態の斜視図である。図２−３はカバー部材の斜視図である。図２−４はカバー部材の下面図である。図２−５はハウジング内を示す上面図である。
【００２９】
図２−１に示すように、本実施形態に係るカード用コネクタ１０は、その外郭をハウジング１１により形成されている。このハウジング１１は、ハウジング１１の主に下面側を形成している構成樹脂製のハウジング本体１２と、このハウジング１１の主に上面側を形成している金属製のカバー部材１４とが結合してなっている。
【００３０】
図２−２に示すように、ハウジング本体１２は、前端壁部１２ａ、左側壁部１２ｂ、右側壁部１２ｃを有する。これら前端壁部１２ａ、左側壁部１２ｂ、右側壁部１２ｃはそれぞれ、ハウジング１１にカード１が装着された状態において、カード１の前端部１ａ、左側部１ｂおよび右側部１ｃのそれぞれに対向して位置するハウジング１１の内壁面を形成している。さらに、ハウジング本体１２は、ハウジング１１にカード１が装着された状態においてカード１の下面に対向して位置する底板部１２ｄを有する。底板部１２ｄには、片持ち板バネ状の複数のコンタクト端子１３が突出して設けられている。複数のコンタクト端子１３のそれぞれはハウジング１１にカード１が装着された状態においてカード１の複数の端子２のそれぞれに接触するよう位置する。
【００３１】
図２−３，図２−４に示すように、カバー部材１４は、ハウジング本体１２を上面側から覆っている上板部１４ａと、折り曲げ加工によって上板部１４ａと一体に形成された前端板部１４ｂ、左側板部１４ｃおよび右側板部１４ｄとを有する。前端板部１４ｂ、左側板部１４ｃおよび右側板部１４ｄがそれぞれ、前端壁部１２ａ、左側壁部１２ｂおよび右側壁部１２ｃのそれぞれの外側の面にスナップフィット結合していることにより、ハウジング本体１２とカバー部材１４とが結合している。
【００３２】
ハウジング本体１２の前端壁部１２ａと反対側の端部には、図２−１に示すように、左側壁部１２ｂ、右側壁部１２ｃ、底板部１２ｄおよびカバー部材１４の上板部１４ａによって、カード１の挿入口１０ａが形成されている。
【００３３】
図２−５に示すように、ハウジング１１内の左側または右側、例えば、左側には、ハウジング１１内でカード１を排出方向に押し動かすことが可能な排出機構２０が設けられている。この排出機構２０は、ハウジング１１内をカード１の挿入方向および排出方向に移動可能なスライダ２１を有する。このスライダ２１には、カード１の挿入方向の前端部１ａに前方から当接可能な前側当接部２１ａと、カード１の左側部１ｂに当接可能な左側当接部２１ｂとが形成されている。スライダ２１とハウジング本体１２の前端壁部１２ａとの間には、スライダ２１を所定のカード排出位置（図２−５等に示す位置）の方向に付勢する付勢手段としてのコイルスプリング２２が設けられている。また、コイルスプリング２２の付勢力（弾性力）に抗してスライダ２１を所定のカード装着位置（図５−１等に示す位置）にロックすること、および、このロックを解除することが可能なロック手段としてのハート型カム機構２３が設けられている。このハート型カム機構２３は、ハウジング本体１２の左側壁部１２ｂに一端側が回動可能に支持されたピン２４と、スライダ２１に形成されピン２４の他端部が挿入されたハート型カム溝２５と、ピン２４をハート型カム溝２５の底面に弾性的に押し付ける片持ち板バネ２６（図２−１等に示す）とを有する。排出機構２０はハート型カム機構２３によって、スライダ２１をロックさせるための操作と、そのロックを解除するための操作との両方がスライダ２１の挿入方向のプッシュ操作であるプッシュプッシュ操作式となっている。
【００３４】
ハウジング１１内の前端には、ハウジング１１に対するカード１の装着の完了を検知する検知スイッチ３０が設けられている。この検知スイッチ３０は、カード１の前端部１ａにより回動レバー３１が前端壁部１２ａの方向に回動操作されることによってオンするようになっている。
【００３５】
スライダ２１は例えば合成樹脂製で形成されている。スライダ２１の左側当接部２１ｂには、カード１の左側部１ｂに形成された前出の凹部１ｅ（図１−２，図１−３に示す）に挿入可能な凸部２１ｃが形成されている。この凸部２１ｃは剛性を有する。この凸部２１ｃは、ハウジング１１の内側方向（右方向）に突出する凸曲面を形成しているとともに、この凸部２１ｃにおいて、頂部よりも後方の傾斜面２１ｃ１は頂部よりも前方の傾斜面２１ｃ２よりも、緩い傾斜に設定されている。
【００３６】
図２−５に示すように、ハウジング本体１２の幅方向（図の左右方向）におけるスライダ２１側とは反対側の壁部、すなわち、右側壁部１２ｃには、カード装着位置に位置したスライダ２１との間でカード１を挟んで位置し、凸部２１ｃが凹部１ｅから抜ける方向へのカード１の移動を阻止する抜け止め部１２ｃ１と、この抜け止め部１２ｃ１にカード１の右側部１ｃを案内する案内部１２ｃ２が設けられている。これら抜け止め部１２ｃ１および案内部１２ｃ２は、右側壁部１２ｃが形成しているハウジング１１の内壁面の一部である。抜け止め部１２ｃ１は、その後方の右側壁部１２ｃの部分よりもハウジング１１の内側方向（左方向）に突出していて、カード１の挿入方向と平行な直線状に延びている。案内部１２ｃ２は、抜け止め部１２ｃ１の後端からカード１の排出方向においてハウジング１１の方向に向かって直線状に傾斜している。
【００３７】
カード１の挿入口１０ａの幅寸法Ｗ１（図２−５に示す）は、カード１の幅寸法Ｗ（図１−１に示す）よりも長く設定されている。この抜け止め部１２ｃ１とスライダ２１の左側当接部２１ｂとの間隔寸法Ｗ２は幅寸法Ｗ１よりも短い寸法で、カード１を挿入可能な寸法に設定されている。
【００３８】
図２−５に示すように、ハウジング本体１２の幅方向（図２−５の左右方向）におけるスライダ２１側とは反対側、すなわち、ハウジング本体１２の右側には、ハウジング１１に挿入されたカード１をスライダ２１の方向に弾性的に押圧可能な押圧部１４ｅが設けられている。この押圧部１４ｅは、図２−４の左側に示すように、カバー部材１４の右側板部１４ｄの一部を折り曲げ加工して形成された片持ち板バネならなる。図２−２に示すように、ハウジング本体１２の右側壁部１２ｃには切欠き１２ｅが形成されていて、押圧部１４ｅは、図２−５に示すように、切欠き１２ｅからハウジング１１内に突出し、カード１の挿入方向においてハウジング１１の外側方向（右方向）に傾斜して延びている。カード１に接触する押圧部１４ｅの終端部は、カード１の右側部１ｃに接触する部分であり、ハウジング１１の内側方向（左方向）に膨らんだ凸曲面を形成している。
【００３９】
このように構成された本実施形態に係るカード用コネクタ１０は次のように動作する。
【００４０】
図３−１は図２−１に示したカード用コネクタにカードの前端部が挿入された状態を、カバー部材を取り除いて示す上面図である。図３−２図３−１に示した状態におけるカード用コネクタ内を示す拡大上面図である。図３−３は図３−２のIII−iii部拡大図である。図３−４は図３−２のIII−iv部拡大図である。なお、図３−１，図３−２においてコイルスプリング２２は省略してある。
【００４１】
ユーザーは、図３−１に示すように、カード１の前端部１ａをハウジング１１に挿入する。これにより、図３−２，図３−３に示すように、ハウジング１１内の右側では、カード１がその前端部１ａの右側で押圧部１４ｅに当接し、この押圧部１４ｅの弾性力によりスライダ２１の方向に押圧される。この結果、カード１は挿入方向に移動しながらスライダ２１の方向に誘導される。一方、図３−２，図３−４に示すように、ハウジング１１内の左側では、カード１の傾斜部１ｄがスライダ２１の凸部２１ｃの頂部よりも後方の傾斜面２１ｃ１に当接する。
【００４２】
ユーザーがカード１に対する挿入方向の押圧を継続すると、カード１は押圧部１４ｅに抗し凸部２１ｃの傾斜面２１ｃ１に沿って凸部２１ｃの突出方向（図３−４の右方向）に移動しながら挿入方向への移動を継続する。
【００４３】
図４−１は図３−１に示した状態からカードの挿入が進行してカードがスライダの前側当接部に当接した状態を示す上面図である。図４−２は図４−１に示した状態におけるカード用コネクタ内を示す拡大上面図である。図４−３は図４−２のIV−iii部拡大図である。図４−４は図４−２のIV−iv部拡大図である。なお、図４−１，図４−２においてもコイルスプリング２２は省略してある。
【００４４】
カード１は押圧部１４ｅによりスライダ２１に押し付けられながら、ユーザーによる押圧により挿入方向への移動を継続する。そして、図４−１，図４−２，図４−４に示すようにカード１の前端部１ａがスライダ２１の前側当接部２１ａに当接するのとほぼ同時に、凹部１ｅの前端がスライダ２１の凸部２１ｃを超えて、スライダ２１の凸部２１ｃがカード１の凹部１ｅに挿入される。この状態では、カード１は図４−２，図４−３に示すように押圧部１４ｅによってスライダ２１に押し付けられているため、排出方向に移動しようとするカード１には、押圧部１４ｅの弾性力と、凸部２１ｃの傾斜面２１ｃ２と凹部１ｅの引っ掛かりに伴う抵抗力とによる抑制力が付与される。つまり、カード排出位置に位置したスライダ２１、およびハウジング１１に対して、カード１の排出方向の移動が抑制されている。
【００４５】
なお、スライダ２１の凸部２１ｃがカード１の凹部１ｅに挿入されるとき、押圧部１４ｅの弾性力により衝撃が発生する。ユーザーは、その衝撃に伴う感触よって、凸部２１ｃが凹部１ｅに挿入されたこと、すなわちハウジング１１に対するカード１の排出方向の移動が抑制された状態となる位置（カード排出位置）までカード１が挿入されたことを明確に認識できる。
【００４６】
図５−１は図４−１に示した状態からカードの挿入が進行してカードの装着が完了した状態を示す上面図である。図５−２は図５−１に示した状態におけるカード用コネクタ内を示す拡大上面図である。図５−３は図５−２のV−iii部拡大図である。図５−４は図５−２のV−iv部拡大図である。なお、図５−１，図５−２においてもコイルスプリング２２は省略してある。
【００４７】
ユーザーは「コイルスプリング２２に抗してカード１越しにスライダ２１をカード排出位置から限界位置まで押込み、その後、カード１の押圧を止める」という、ハート型カム機構２３でスライド２１をロックさせるためのロック操作を行う。このロック操作において、カード１の押圧が止められたとき、スライダ２１はコイルスプリング２２によって限界位置からカード装着位置（図５−１，図５−２に示す位置）に押し戻される。このとき、スライダ２１はハート型カム機構２３によりコイルスプリング２２に抗してカード装着位置にロックされた状態となる。この状態が、ハウジング１１にカード１が装着された状態である。
【００４８】
また、ロック操作において、カード１がスライダ２１をカード排出位置から挿入方向に押し動かすとき、カード１の右側部１ｃは案内部１２ｃ２により抜け止め部１２ｃ１に案内される。これにより、カード１は抜け止め部１２ｃ１とスライダ２１の左側当接部２１ｂの間に配置された状態、すなわち、カード１は抜け止め部１２ｃ１によって凸部２１ｃが凹部１ｅから抜ける方向の移動が阻止された状態となる（図５−２，図５−３および図５−４参照）。この状態は、カード１に排出方向の力が作用すると凸部２１ｃの傾斜面２１ｃ２が凹部１ｅに引っ掛かり、カード１の排出方向の移動が阻止される状態である。このようにして、ハウジング１１にカード１が装着された状態でのカード１の排出方向の移動が阻止される。
【００４９】
なお、ハウジング１１にカード１が装着された状態では、カード１の前端部１ａにより回動レバー３１が前端壁部１２ａの方向に回動操作されて検知スイッチ３０がオンしている。また、カード１の複数の端子２がそれぞれハウジング１１の複数のコンタクト端子１３のそれぞれに接触している。
【００５０】
図５−１に示すようにハウジング１１に装着されたカード１を、ハウジング１１から抜き取るには、まず、「コイルスプリング２２に抗してカード１越しにスライダ２１をカード装着位置から限界位置まで押込み、その後、カード１の押圧を止める」という、ハート型カム溝２５によるスライダ２１のロックを解除するための解除操作を行う。この解除操作によってロックが解除されると、スライダ２１はコイルスプリング２２によりカード排出位置に押し動かされ、これに伴ってハウジング１１の挿入口１０ａからのカード１の突出部分が大きくなる。ユーザーは、その突出部分を把持し、カード１を抑制力よりも大きな力で引くことによって、ハウジング１１からカード１を抜き取ることができる。
【００５１】
本実施形態に係るカード用コネクタ１０によれば、次の効果を得られる。
【００５２】
本実施形態に係るカード用コネクタ１０において、スライダ２１の凸部２１ｃは剛性を有する。したがって、ハウジング１１にカード１が装着された状態においてユーザーがカード１を無理に引き抜こうとしてカード１の凹部１ｅからスライダ２１の凸部２１ｃに排出方向の力が作用しても、凸部２１ｃは変形しづらいものとなっている。これにより、カード１のハウジング１１からの無理な引抜きの防止の確実性を向上させることができる。
【００５３】
本実施形態に係るカード用コネクタ１０において、ハウジング１１には、抜け止め部１２ｃ１にカード１の右側部１ｃを案内する案内部１２ｃ２が設けられている。これにより、スライダ２１の凸部２１ｃがカード１の凹部１ｅに挿入された状態を維持しつつ、スライダ２１と抜け止め部１２ｃ１との間にカード１を円滑に挿入することができる。
【００５４】
本実施形態に係るカード用コネクタ１０において、抜け止め部１２ｃ１はハウジング本体１２の右側壁部１２ｃが形成するハウジング１１の内壁面の一部である。これにより、抜け止め部１２ｃ１をハウジング１１の成形と同工程で容易に設けることができる。
【００５５】
本実施形態に係るカード用コネクタ１０において、案内部１２ｃ２はハウジング本体１２の右側壁部１２ｃが形成するハウジング１１の内壁面の一部である。これにより、案内部１２ｃ２をハウジング１１の成形と同工程で容易に設けることができる。
【００５６】
本実施形態に係るカード用コネクタ１０において、ハウジング１１には、このハウジング１１に挿入されたカード１をスライダ２１の方向に弾性的に押圧する押圧部１４ｅが設けられている。この押圧部１４ｅがカード１を押圧してスライダ２１に押し付けるので、スライダ２１がカード排出位置に位置した状態等、カード１がハウジング１１に完全に装着されていない状態であっても、ハウジング１１に対するカード１の排出方向の移動を抑制することができる。
【００５７】
本実施形態に係るカード用コネクタ１０において、ハウジング１１は金属製のカバー部材１４を有し、押圧部１４ｅはカバー部材１４の一部を折り曲げ加工して形成されている。磁気シールドとして機能するカバー部材１４と押圧部１４ｅとを同工程で容易に設けることができる。
【００５８】
本実施形態に係るカード用コネクタ１０において、抜け止め部１２ｃ１および押圧部１４ｅと、スライダ２１とは、カード１の幅方向においてカード１を挟んで対向して位置する位置関係にある。これにより、カード１の挿入方向および排出方向への直線的な移動を安定させることができる。
【図面の簡単な説明】
【００５９】
【図１−１】本発明の一実施形態に係るカード用コネクタに挿入されるカードの上面図である。
【図１−２】図２−１に示したカードの下面図である。
【図１−３】図２−１に示したカードの左側面図である。
【図２−１】本発明の一実施形態に係るカード用コネクタの斜視図である。
【図２−２】図２−１に示したカード用コネクタからカバー部材を取り除いた状態の斜視図である。
【図２−３】カバー部材の斜視図である。
【図２−４】カバー部材の下面図である。
【図２−５】ハウジング内を示す上面図である。
【図３−１】図２−１に示したカード用コネクタにカードの前端部が挿入された状態を、カバー部材を取り除いて示す上面図である。
【図３−２】図３−１に示した状態におけるカード用コネクタ内を示す拡大上面図である。
【図３−３】図３−２のIII−iii部拡大図である。
【図３−４】図３−２のIII−iv部拡大図である。
【図４−１】図３−１に示した状態からカードの挿入が進行してカードがスライダの前側当接部に当接した状態を示す上面図である。
【図４−２】図４−１に示した状態におけるカード用コネクタ内を示す拡大上面図である。
【図４−３】図４−２のIV−iii部拡大図である。
【図４−４】図４−２のIV−iv部拡大図である。
【図５−１】図４−１に示した状態からカードの挿入が進行してカードの装着が完了した状態を示す上面図である。
【図５−２】図５−１に示した状態におけるカード用コネクタ内を示す拡大上面図である。
【図５−３】図５−２のV−iii部拡大図である。
【図５−４】図５−２のV−iv部拡大図である。
【符号の説明】
【００６０】
１  カード
１ａ  前端部
１ｂ  左側部
１ｃ  右側部
１ｄ  傾斜部
１ｅ  凹部
２  端子
１０  カード用コネクタ
１０ａ  挿入口
１１  ハウジング
１２  ハウジング本体
１２ａ  前端壁部
１２ｂ  左側壁部
１２ｃ  右側壁部
１２ｃ１  抜け止め部
１２ｃ２  案内部
１２ｄ  底板部
１２ｅ  切欠き
１３  コンタクト端子
１４  カバー部材
１４ａ  上板部
１４ｂ  前端板部
１４ｃ  左側板部
１４ｄ  右側板部
１４ｅ  押圧部
２０  排出機構
２１  スライダ
２１ａ  前側当接部
２１ｂ  左側当接部
２１ｃ  凸部
２１ｃ１，２１ｃ２  傾斜面
２２  コイルスプリング
２３  ハート型カム機構
２４  ピン
２５  ハート型カム溝
２６  片持ち板バネ
３０  検知スイッチ
３１  回動レバー
【図１−１】
2009272082.tif 000003
【図１−２】
2009272082.tif 000004
【図１−３】
2009272082.tif 000005
【図２−１】
2009272082.tif 000006
【図２−２】
2009272082.tif 000007
【図２−３】
2009272082.tif 000008
【図２−４】
2009272082.tif 000009
【図２−５】
2009272082.tif 000010
【図３−１】
2009272082.tif 000011
【図３−２】
2009272082.tif 000012
【図３−３】
2009272082.tif 000013
【図３−４】
2009272082.tif 000014
【図４−１】
2009272082.tif 000015
【図４−２】
2009272082.tif 000016
【図４−３】
2009272082.tif 000017
【図４−４】
2009272082.tif 000018
【図５−１】
2009272082.tif 000019
【図５−２】
2009272082.tif 000020
【図５−３】
2009272082.tif 000021
【図５−４】
2009272082.tif 000022